(57)【要約】【課題】本発明は、端末が、基地局(ＢＳ)、アクセスサービスネットワーク(ＡＳＮ)、の順に接続されるソースネットワークと、パケットデータサービスノード(ＰＤＳＮ)、パケット制御器(ＰＣＦ)、アクセスネットワーク(ＡＮ)の順に接続されるターゲットネットワークとの間のハンドオフ方法である。【解決手段】本発明は、ターゲットネットワークの基地局情報を含むハンドオフ要求メッセージをＡＳＮに送信する段階と、ハンドオフ要求メッセージを、ＰＤＳＮを通じてＰＣＦに伝送する段階と、ＰＤＳＮを通じてＡＳＮにセッション情報の要求を送信する段階と、ＡＳＮにコンテキスト情報を要求する段階と、ＰＣＦがコンテキスト情報をＰＤＳＮに伝送し、ＰＤＳＮとＰＣＦとを介してセッション情報をＡＮに伝送する段階とを有することを特徴とする。【選択図】図３
2008172783.tif 000002
【特許請求の範囲】
【請求項１】
端末が、基地局(ＢＳ)、アクセスサービスネットワーク(ＡＳＮ)、の順に接続されるソースネットワークと、パケットデータサービスノード(ＰＤＳＮ)、パケット制御器(ＰＣＦ)、アクセスネットワーク(ＡＮ)、の順に接続されるターゲットネットワークとの間のハンドオフ方法であって、
前記端末によって、前記ＢＳを介して前記ターゲットネットワークの基地局情報を含むハンドオフ要求メッセージを前記ＡＳＮに送信する段階と、
前記ＡＳＮによって、前記基地局情報を用いて前記ハンドオフ要求メッセージを、前記ＰＤＳＮを通じて前記ＰＣＦに伝送する段階と、
前記ハンドオフ要求メッセージを受信すると、前記ＰＣＦによって前記ＰＤＳＮを通じて前記ＡＳＮにセッション情報の要求を送信する段階と、
前記ＰＤＳＮによって、前記ＡＳＮにコンテキスト情報を要求する段階と、
前記セッション情報要求と前記コンテキスト情報要求とを受信すると、前記ＰＣＦが前記コンテキスト情報を前記ＰＤＳＮに伝送し、前記ＰＤＳＮと前記ＰＣＦとを介して前記セッション情報を前記ＡＮに伝送する段階と
を有することを特徴とするハンドオフ方法。
【請求項２】
前記ハンドオフ要求メッセージを送信する段階は、前記端末によって、前記ＡＳＮとターゲットネットワークとの接続のためのセッションを交渉する段階をさらに有することを特徴とする請求項１に記載のハンドオフ方法。
【請求項３】
前記セッション情報は、予め定められたデフォルト値からなることを特徴とする請求項１に記載のハンドオフ方法。
【請求項４】
前記ソースネットワークはＷｉＭａｘ(Worldwide Interoperability for Microwave Access)ネットワークで構成され、前記ターゲットネットワークはＣＤＭＡ  １ｘ-ＥｖＤＯ(Code Division Multiple Access 1x Evolution Data Only)ネットワークで構成されることを特徴とする請求項１に記載のハンドオフ方法。
【請求項５】
端末が、基地局(ＢＳ）、アクセスサービスネットワーク(ＡＳＮ)、の順に接続されるソースネットワークと、パケットデータサービスノード(ＰＤＳＮ)、パケット制御器(ＰＣＦ)、アクセスネットワーク(ＡＮ)、の順に接続されるターゲットネットワークとのハンドオフシステムであって、
前記ＢＳを介して前記ターゲットネットワークの基地局情報を含むハンドオフ要求メッセージを前記ＡＳＮに送信し、前記ターゲットネットワークにアクセスするためのセッションに対して前記ＡＳＮと交渉する端末と、
前記ＡＮ情報を用いて前記ＰＤＳＮを通じて前記ハンドオフ要求メッセージを前記ＰＣＦに伝送する前記ＢＳと、
前記ハンドオフ要求メッセージを受信すると、前記ＰＤＳＮを通じて前記ＡＳＮにセッション情報の要求を伝送する前記ＰＣＦと、
前記ＡＳＮにコンテキスト情報の要求を送信する前記ＰＤＳＮと、
前記セッション情報要求と前記コンテキスト情報要求とを受信すると、前記コンテキスト情報を前記ＰＤＳＮに伝送し、前記セッション情報を前記ＰＤＳＮと前記ＰＣＦとを通じて前記ＡＮに伝送する前記ＡＳＮと
を含むことを特徴とするハンドオフシステム。
【請求項６】
前記端末は、前記ターゲットネットワークに接続するためのセッションに対して前記ＡＳＮと交渉するように構成されることを特徴とする請求項５に記載のハンドオフシステム。
【請求項７】
前記セッション情報は、予め定められたデフォルト値からなることを特徴とする請求項５に記載のハンドオフシステム。
【請求項８】
前記ソースネットワークはＷｉＭａｘ(Worldwide Interoperability for Microwave Access)ネットワークで構成され、前記ターゲットネットワークはＣＤＭＡ  １ｘ-ＥｖＤＯ(Code Division Multiple Access 1x Evolution Data Only)ネットワークで構成されることを特徴とする請求項５に記載のハンドオフシステム。
【請求項９】
端末が、基地局(ＢＳ)、アクセスサービスネットワーク(ＡＳＮ)、の順に接続されるソースネットワークと、パケットデータサービスノード(ＰＤＳＮ)、パケット制御器(ＰＣＦ)、アクセスネットワーク(ＡＮ)、の順に接続され、前記ＢＳが前記ＡＮに直接接続されるターゲットネットワークとのハンドオフ方法であって、
前記端末によって、前記ＢＳを介して前記ハンドオフ要求を前記ＡＳＮに送信し、前記ハンドオフ要求に応じてハンドオフ応答を受信すると、ハンドオフ臨時指示メッセージを前記ＢＳに送信する段階と、
前記ＢＳによって、前記ハンドオフ臨時指示メッセージを受信すると、セッション情報を前記ＡＮに伝送する段階と、
前記ＡＮによって、前記セッション情報を受信すると、前記セッション情報を用いて前記ＰＣＦを介して前記ＰＤＳＮにベアラを設定する段階と、
前記ベアラの設定された前記ＰＤＳＮが前記ＡＳＮにハンドオフ要求を送信する場合に、前記ＡＳＮからコンテキスト情報を受信する段階と
を有することを特徴とするハンドオフ方法。
【請求項１０】
前記ハンドオフ要求を送信する段階は、前記端末によって、ターゲットネットワークにアクセスするためのセッションに対して前記ＡＳＮと交渉する段階をさらに有することを特徴とする請求項９に記載のハンドオフ方法。
【請求項１１】
前記セッション情報は、予め定められたデフォルト値からなることを特徴とする請求項９に記載のハンドオフ方法。
【請求項１２】
前記ソースネットワークはＷｉＭａｘ(Worldwide Interoperability for Microwave Access)ネットワークで構成され、前記ターゲットネットワークはＣＤＭＡ  １ｘ-ＥｖＤＯ(Code Division Multiple Access 1x Evolution Data Only)ネットワークで構成されることを特徴とする請求項９に記載のハンドオフシステム。
【請求項１３】
前記セッション情報を伝送する段階は、前記ターゲットネットワークのメッセージ構造を使用するセッション情報を伝送することを特徴とする請求項９に記載のハンドオフ方法。
【請求項１４】
前記セッション情報伝送段階は、前記ソースネットワークのメッセージ構造を使用するセッション情報を伝送することを特徴とする請求項９に記載のハンドオフ方法。
【請求項１５】
端末が、基地局(ＢＳ)、アクセスサービスネットワーク(ＡＳＮ)、の順に接続されるソースネットワークと、パケットデータサービスノード(ＰＤＳＮ)、パケット制御器(ＰＣＦ)、アクセスネットワーク(ＡＮ)、の順に接続され、前記ＢＳが前記ＡＮに直接接続されるターゲットネットワークとのハンドオフシステムであって、
前記ＢＳを介してハンドオフ要求を前記ＡＳＮに送信し、ハンドオフ応答を受信すると、ハンドオフ臨時指示メッセージを前記ＢＳに送信する前記端末と、
前記ハンドオフ臨時指示メッセージを受信すると、セッション情報を前記ＡＮに伝送する前記ＢＳと、
前記セッション情報を受信し、前記セッション情報を用いて前記ＰＣＦを介して前記ＰＤＳＮにベアラを設定する前記ＡＮと、
前記ベアラの設定以後に前記端末がハンドオフを指示する場合に、前記ＡＳＮにハンドオフ要求を送信し、前記ＡＳＮからコンテキスト情報を含むハンドオフ応答を受信するＰＤＳＮと
を含むことを特徴とするハンドオフシステム。
【請求項１６】
前記端末は、ターゲットネットワークに接続するためのセッションに対して前記ＡＳＮと交渉するように構成されることを特徴とする請求項１５記載のハンドオフシステム。
【請求項１７】
前記セッション情報は、予め定められたデフォルト値からなることを特徴とする請求項１５に記載のハンドオフシステム。
【請求項１８】
前記ソースネットワークはＷｉＭａｘ(Worldwide Interoperability for Microwave Access)ネットワークで構成され、前記ターゲットネットワークはＣＤＭＡ  １ｘ-ＥｖＤＯ(Code Division Multiple Access 1x Evolution Data Only)ネットワークで構成されることを特徴とする請求項１５に記載のハンドオフシステム。
【請求項１９】
前記ＢＳは、前記ターゲットネットワークのメッセージ構造を用いて前記セッション情報を伝送するように構成されることを特徴とする請求項１５に記載のハンドオフシステム。
【請求項２０】
前記ＢＳは、前記ソースネットワークのメッセージ構造を用いて前記セッション情報を伝送するように構成されることを特徴とする請求項１５に記載のハンドオフシステム。
【発明の詳細な説明】
【技術分野】
【０００１】
本発明は無線通信システムにおけるハンドオフを遂行するための方法及びそのシステムに関するもので、特に異種ネットワーク間のハンドオフを遂行することができる方法及びそのシステムに関する。
【背景技術】
【０００２】
一般に、無線通信システムは、端末に固定的な有線ネットワークを接続して使用できない場合のために開発された。通信技術の進歩により、無線通信システムは移動通信システムに発展している。第４世代移動通信システムは、第１世代のアナログ方式、第２世代のデジタル方式、及び高速マルチメディアサービスを提供する第３世代のＩＭＴ-２０００システムを超えて、超高速マルチメディアサービスを提供する。このＩＭＴ-２０００システムは、大きく非同期システムと同期システムとに分けられる。代表的な非同期システムは、３ＧＰＰ(3rd Generation Partnership Project)によって提案されたＵＭＴＳ(Universal Mobile Telecommunication Systems)とＷ−ＣＤＭＡ(Wideband Code Division Multiple Access)を含み、代表的な同期システムは、３ＧＰＰ２(3rd Generation Partnership Project 2)によって提案されたＣＤＭＡ２０００  １ｘ、ＣＤＭＡ２０００  １ｘ  ＥＶ−ＤＯ(Evolution Data Only)、及びＣＤＭＡ２０００  １ｘＥＶ−ＤＶ(Evolution of Data and Voice)を含む。
【０００３】
第４世代移動通信システムの代表的な例としては、ＩＥＥＥ(Institute of Electrical and Electronics Engineers)によって提案されたＷｉＭａｘ(Worldwide Interoperability for Microwave Access)システムが挙げられる。このＷｉＭａｘシステムは、移動端末に対して無線広帯域インターネット(ＷｉＢｒｏ)サービスを提供するためにＩＥＥＥ８０２.１６ｅ標準として規定されており、商用化の準備段階にある。ＷｉＭａｘシステムは、移動端末を通じて停止及び移動中に時と場所にかかわらず、無線で音声サービスだけでなくインターネット接続サービス、高速データサービス、映像サービスのような多様なマルチメディアサービスを提供することができる。したがって、ＷｉＭａｘシステムは、急増する無線インターネットサービスに対するユーザーの欲求を充足させることができる移動通信技術として注目を集めている。
【０００４】
このように、現在の移動通信システムでは、各種異なる通信ネットワークが共存している。また、移動通信技術の発展と無線サービスの増加によって、移動端末を用いるユーザーが増加しており、それによって移動端末基盤のサービスに対する関心が増加している。したがって、異種ネットワーク間のハンドオフ(handoff)方法は、より良い通信サービスを提供するために必須の技術である。ここで、“ハンドオフ”は、ユーザーが一つの基地局(又はアクセスネットワーク)領域から他の基地局領域へ移動する間に通信サービスをシームレスに(seamless)維持できるようにする技術を意味する。
【０００５】
同種のネットワーク間のハンドオフ方法は、現在、ＷｉＭａｘシステムで利用可能である。しかしながら、異種ネットワーク間のハンドオフ方法は具体的に提案されていないことが多い。特に、ＷｉＭａｘシステムとＥＶ−ＤＯシステムとの間のハンドオフ方法に対しても具体的な方案が提示されたことがない。したがって、異種ネットワーク間のハンドオフ方法の中で、ＷｉＭａｘシステムとＥＶ−ＤＯシステムとの間のハンドオフ方法のための効率的な方案が要求される。
【０００６】
図１は、一般的な１ｘ  ＥＶ−ＤＯネットワーク(以下、“ＤＯネットワーク”とする)の構成図である。ＤＯネットワークは、インターネット１００に接続され、高速パケットデータをアクセスネットワーク(Access  Network：ＡＮ)１０３に伝送するパケットデータサービスノード(Packet  Data  Service  Node：ＰＤＳＮ)１０１と、ＡＮ１０３を制御するパケット制御器(Packet  Control  Function：ＰＣＦ)１０２とを含む。ＡＮ１０３は、各々複数の端末(通常、Access Terminal：ＡＴ)と無線で通信し、データレートが最も高い端末機に高速のパケットデータを伝送する。
【０００７】
図２は、一般的なＷｉＭａｘネットワークの構成を示す。ＷｉＭａｘネットワークは、複数の端末(通常、Mobile Station：ＭＳ)２０３と無線で通信し、超高速マルチメディアサービスを提供する基地局(Base  Station：ＢＳ)２０２と、インターネット２００に接続され、高速パケットデータをＢＳ２０２に伝送するアクセスサービスネットワーク(Access  Service  Network：ＡＳＮ)２０１とを含む。
【０００８】
移動通信産業の発達とインターネットサービスに対するユーザーの要求増加によって、インターネットサービスを効率的に提供できる移動通信システムに対する必要性が増大している。既存の移動通信ネットワークは、音声サービスを主に提供するように開発されたので、データ伝送帯域幅が比較的狭く、サービス利用料が高いという短所を有する。国際標準化機構の一つであるＩＥＥＥ８０２.１６標準化グループは、移動端末に対してＷｉＢｒｏサービスを提供するための標準としてＩＥＥＥ８０２.１６ｅ標準を提案している。
【０００９】
ＩＥＥＥ８０２.１６ｅ基盤の無線通信システムの代表的な例としては、ＷｉＭａｘ(又はＷｉＢｒｏとも称する)システムが挙げられる。このＷｉＭａｘシステムにおけるハンドオフ方法に対して、既存のＣＤＭＡ２０００  １ｘシステムとＥＶ−ＤＯネットワークとの間に提案されたハンドオフ技術があったが、異種ネットワークの特性を考慮したこれら効率的なハンドオフ方法はなかった。移動通信技術の発展と無線サービスの増加により、移動端末を用いるユーザーが増加するに従って、移動端末基盤のサービスに対する関心が指数関数的に増加している。移動端末の位置を管理し、ハンドオフ時にもシームレスな通信を提供するために、各移動通信システムは該当移動通信システムに適合したハンドオフ技術を提案している。しかしながら、このようなハンドオフ技術は、同一のネットワーク、例えば３ＧＰＰ２ネットワーク又はＷｉＭａｘネットワーク内でのハンドオフを効率的に支援するための多くの努力が進行中にある。
【００１０】
異種ネットワークが共存する現在通信システムの特性を考慮すると、異種ネットワーク間のハンドオフ方法は必須的である。現在、進化した次世代ネットワークのために、３ＧＰＰ２のＥＶ−ＤＯネットワークではｒｅｖ  Ｃを準備しており、ｒｅｖ  Ｃで処理される内容中の一つが３ＧＰＰ２  ｒｅｖ  Ｃとｒｅｖ  Ａとの間のハンドオフ技術である。また、現在標準が完成された後に商用化を準備しているＷｉＭａｘネットワークとＥＶ−ＤＯネットワークとの間のハンドオフ方法に対しても具体的な方案は提示されたことがない。したがって、異種ネットワーク間のハンドオフ方法の中で、ＷｉＭａｘシステムとＥＶ−ＤＯネットワークとの間のハンドオフに対する効率的な方案が要求される。
【発明の開示】
【発明が解決しようとする課題】
【００１１】
したがって、上記のような従来技術の問題点を解決するために、本発明の目的は、ＷｉＭａｘシステムとＥＶ−ＤＯネットワークとの間でサービスのハンドオフをシームレスに遂行することができる方法及びシステムを提供することにある。
【００１２】
また、本発明の目的は、ＷｉＭａｘシステムとＥＶ−ＤＯネットワークとの間でＥＶ−ＤＯシステムの特性を考慮してハンドオフを遂行することができる方法及びシステムを提供することにある。
【００１３】
さらに、本発明の目的は、ＷｉＭａｘシステムとＥＶ−ＤＯネットワークとの間でＷｉＭａｘシステムの特性を考慮してハンドオフを遂行することができる方法及びシステムを提供することにある。
【課題を解決するための手段】
【００１４】
上記した目的を達成するために、本発明の一つの観点によると、端末が、基地局(ＢＳ)、アクセスサービスネットワーク(ＡＳＮ)、の順に接続されるソースネットワークと、パケットデータサービスノード(ＰＤＳＮ)、パケット制御器(ＰＣＦ)、アクセスネットワーク(ＡＮ)、の順に接続されるターゲットネットワークとの間のハンドオフ方法であって、端末によって、ＢＳを介してターゲットネットワークの基地局情報を含むハンドオフ要求メッセージをＡＳＮに送信する段階と、ＡＳＮによって、基地局情報を用いてハンドオフ要求メッセージを、ＰＤＳＮを通じてＰＣＦに伝送する段階と、ハンドオフ要求メッセージを受信すると、ＰＣＦによってＰＤＳＮを通じてＡＳＮにセッション情報の要求を送信する段階と、ＰＤＳＮによって、ＡＳＮにコンテキスト情報を要求する段階と、セッション情報要求とコンテキスト情報要求とを受信すると、ＰＣＦがコンテキスト情報をＰＤＳＮに伝送し、ＰＤＳＮとＰＣＦとを介してセッション情報をＡＮに伝送する段階とを有することを特徴とする。
【００１５】
本発明の他の観点によると、端末が、基地局(ＢＳ)、アクセスサービスネットワーク(ＡＳＮ)、の順に接続されるソースネットワークと、パケットデータサービスノード(ＰＤＳＮ)、パケット制御器(ＰＣＦ)、アクセスネットワーク(ＡＮ)、の順に接続され、ＢＳがＡＮに直接接続されるターゲットネットワークとのハンドオフ方法であって、端末によって、ＢＳを介してハンドオフ要求をＡＳＮに送信し、ハンドオフ要求に応じてハンドオフ応答を受信すると、ハンドオフ臨時指示メッセージをＢＳに送信する段階と、ＢＳによって、ハンドオフ臨時指示メッセージを受信すると、セッション情報を前記ＡＮに伝送する段階と、ＡＮによって、セッション情報を受信すると、セッション情報を用いてＰＣＦを介してＰＤＳＮにベアラを設定する段階と、ベアラの設定されたＰＤＳＮがＡＳＮにハンドオフ要求を送信する場合に、ＡＳＮからコンテキスト情報を受信する段階とを有することを特徴とする。
【００１６】
本発明の他の観点によると、端末が、基地局(ＢＳ）、アクセスサービスネットワーク(ＡＳＮ)、の順に接続されるソースネットワークと、パケットデータサービスノード(ＰＤＳＮ)、パケット制御器(ＰＣＦ)、アクセスネットワーク(ＡＮ)、の順に接続されるターゲットネットワークとのハンドオフシステムであって、ＢＳを介してターゲットネットワークの基地局情報を含むハンドオフ要求メッセージをＡＳＮに送信し、ターゲットネットワークにアクセスするためのセッションに対してＡＳＮと交渉する端末と、ＡＮ情報を用いてＰＤＳＮを通じてハンドオフ要求メッセージをＰＣＦに伝送するＢＳと、ハンドオフ要求メッセージを受信すると、ＰＤＳＮを通じてＡＳＮにセッション情報の要求を伝送するＰＣＦと、ＡＳＮにコンテキスト情報の要求を送信するＰＤＳＮと、セッション情報要求とコンテキスト情報要求とを受信すると、コンテキスト情報をＰＤＳＮに伝送し、セッション情報をＰＤＳＮとＰＣＦとを通じてＡＮに伝送するＡＳＮとを含むことを特徴とする。
【００１７】
さらに、本発明の他の観点によると、端末が、基地局(ＢＳ)、アクセスサービスネットワーク(ＡＳＮ)、の順に接続されるソースネットワークと、パケットデータサービスノード(ＰＤＳＮ)、パケット制御器(ＰＣＦ)、アクセスネットワーク(ＡＮ)、の順に接続され、前記ＢＳが前記ＡＮに直接接続されるターゲットネットワークのハンドオフシステムであって、ＢＳを介してハンドオフ要求を前記ＡＳＮに送信し、ハンドオフ応答を受信すると、ハンドオフ臨時指示メッセージをＢＳに送信する端末と、ハンドオフ臨時指示メッセージを受信すると、セッション情報をＡＮに伝送するＢＳと、セッション情報を受信し、セッション情報を用いてＰＣＦを介してＰＤＳＮにベアラを設定するＡＮと、ベアラの設定以後に端末がハンドオフを指示する場合に、ＡＳＮにハンドオフ要求を送信し、ＡＳＮからコンテキスト情報を含むハンドオフ応答を受信するＰＤＳＮとを含むことを特徴とする。
【発明の効果】
【００１８】
本発明は、端末がＷｉＭａｘネットワークからＤＯネットワークにハンドオフする場合にシームレスなハンドオフを遂行できるため、データサービスの断絶を避けることができる。また、本発明は、ハンドオフに必要な情報を予めターゲットネットワークに伝送してハンドオフ時間を短縮することができる。さらに、本発明は、ＷｉＭａｘネットワークからＤＯネットワークにハンドオフする場合に、ＷｉＭａｘネットワーク又はＤＯネットワーク基盤のメッセージを使用可能とすることによって、システムの互換性を高めることができる。
【発明を実施するための最良の形態】
【００１９】
以下、本発明の望ましい実施形態を添付の図面を参照して詳細に説明する。
図面において、同一の構成要素に対してはできるだけ同一の参照番号及び参照符号を付して説明する。下記に、本発明に関連した公知の機能或いは構成に関する具体的な説明が本発明の要旨を不明にすると判断された場合に、その詳細な説明を省略する。
【００２０】
図３は、本発明の実施形態によるＷｉＭａｘシステムとＤＯネットワークとの間のハンドオフのためのネットワーク構成を示す。参照番号３０１、３０２は、ＷｉＭａｘネットワークの要素を示す。参照番号３０１は、ＷｉＭａｘネットワークのアクセスサービスネットワーク(ＡＳＮ)を示す。このＡＳＮ３０１は、インターネット３３０にＷｉＭａｘネットワーク３４０を接続し、高速パケットデータをＷｉＭａｘ基地局(ＢＳ)３０２と交換する。ＢＳ３０２は、ＡＳＮ３０１を介して受信されたユーザーデータを端末３１０に伝送し、端末３１０から受信されたユーザーデータをＡＳＮ３０１に伝送する。参照番号３０６はＡＳＮ３０１とＢＳ３０２との間のデータ交換のためのデータインターフェースを示し、参照番号３０７はそれらの間に制御信号の交換のためのインターフェースを示す。
【００２１】
参照番号３０３〜３０５は、ＤＯネットワークの要素を示す。パケットデータサービスネットワーク(ＰＤＳＮ)３０３は、ＤＯネットワーク３５０にインターネット３３０を接続する。パケット制御器(ＰＣＦ)３０４は、ＰＤＳＮ３０３とＤＯアクセスネットワーク(ＡＮ)３０５との間の接続を維持してパケットを伝送する。ＡＮ３０５は、ＰＤＳＮ３０３とＰＣＦ３０４とを介して受信されたユーザーデータを端末３２０に伝送し、端末３２０からＰＣＦ３０４に受信されたデータを伝送する。図３において、ＰＣＦ３０４は、セッション制御/移動性管理(Session Control/Mobility Management：ＳＣ/ＭＭ)部を含むことができる。
【００２２】
ここで、一つのＢＳ３０２と一つの端末３１０とが便宜上ＷｉＭａｘネットワーク３４０に提供されたが、複数のＢＳが一つのＡＳＮ３０１に接続されることができ、複数の端末が一つのＢＳ３０２に接続されることができる。同様に、ＤＯネットワークでも、複数のＡＮが一つのＰＣＦ３０４に接続されることができ、複数の端末が一つのＡＮ３０５に接続されることができる。
【００２３】
本発明の実施形態は、次のような基本的な概念を有する。すなわち、本発明は、シームレスなハンドオフを遂行するために、２種類の情報をハンドオフ以前にＤＯネットワークに予め伝送することによって、ハンドオフの遂行時間を短縮し、シームレスなハンドオフを可能にする。ＤＯネットワークに伝送された２種類の情報は、(１)セッション情報と(２)コンテキスト情報とを含むことができる。下記に、これらに対する定義を説明する。
【００２４】
(１)セッション情報
通常に、“セッション”は、端末が任意のネットワークに接続された論理的接続状態を意味する。また、“セッション情報”は、上記接続状態に必要な情報として、端末と基地局(ＢＳ/ＡＮ)との間の無線インターフェース(air  interface)に必要な情報の集合(set)を意味する。ハンドオフが遂行される場合に、２つのセッションが存在する。すなわち、ハンドオフ以前のセッション(以下、“旧(old)セッション”とする）とハンドオフ以後のセッションとである。ここで、セッション情報は、ハンドオフ以後のセッションを示すことに留意すべきである。このセッション情報は、端末との無線インターフェースに必要な情報であるため、通信ネットワークの基地局レベルで必要な情報である。したがって、ＤＯネットワークにおいて、セッション情報はＡＮ３０５に対して必要である。
【００２５】
(２)コンテキスト情報
本発明で使用される“コンテキスト”は、端末が通信ネットワークに接続してデータサービスを受信するために必要な情報の集合を意味する。すなわち、“コンテキスト情報”は、端末に対する認証、セキュリティー、及びＱｏＳ(Quality of Service)情報の集合を意味する。このコンテキスト情報は、ＷｉＭａｘネットワークでＡＳＮ３０１に、そしてＤＯネットワークでＰＤＳＮ３０３に必要な情報である。
【００２６】
図３のネットワーク構造に基づいた本発明の第１の実施形態は、次のような基本的な概念を有する。移動端末がＷｉＭａｘネットワークからＤＯネットワークに移動するためにハンドオフが必要である場合に、端末はＷｉＭａｘネットワークの基地局にハンドオフ要求を送信する。このハンドオフ要求は、ＷｉＭａｘネットワークとＤＯネットワークとの各要素を通じてＤＯネットワークのＡＮに伝送される。ＤＯネットワークのＡＮは、ハンドオフ要求に対応してＤＯネットワークのＰＤＳＮ３０３にベアラを設定する。
【００２７】
ハンドオフ要求以後に、端末３１０は、ハンドオフ以後に設定されるＤＯネットワークとのセッションに対してＷｉＭａｘネットワークの基地局と予め交渉する。交渉を通じて得られたセッション情報は、ＤＯネットワークのＡＮ３０５まで伝送される。また、ＷｉＭａｘネットワークのＡＳＮ３０１に格納されたコンテキスト情報は、ＰＤＳＮ３０３に伝送される。したがって、ハンドオフ過程は、獲得された２種類の情報を用いて遂行される。設定されたベアラが活性化されると、端末がＤＯネットワークからデータサービスを受信できるようになる。以下に、図４Ａ及び図４Ｂを参照して、これについて詳細に説明する。
【００２８】
図４Ａ及び図４Ｂは、本発明の第１の実施形態によるＷｉＭａｘネットワークとＤＯネットワークとの間のハンドオフ手順を示すフローチャートである。
【００２９】
ステップ４０１で、端末(又は、デュアルモードＡＴ(Access Terminal))３１０は、ＢＳに接続されていると仮定する(接続状態)。ステップ４０３で、端末３１０は、ＢＳ３０２から伝送された、ＤＯネットワークのＡＮの情報が含まれた隣接リスト(neighbor  list)を受信する。この隣接リストは、ＷｉＭａｘネットワークに隣接した基地局のリストを含む。この隣接リストはＢＳ２０３によってブロードキャスティングされた情報であるため、端末３１０は、別途の要求なしに隣接リストを受信することができる。すなわち、端末３１０は、現在属しているＷｉＭａｘネットワークに隣接した基地局のリスト情報を受信し、基地局リスト情報は各基地局の情報を含む。上記基地局情報は、パイロットＰＮ(Pseudo  Noise)、ＡＮ−ＩＤ(AN’s  Identification)、セクタＩＤなどを含むことができる。
【００３０】
ステップ４０５で、端末３１０は、ＢＳ３０２に基地局情報を含むハンドオフ要求(MOB_MSHO-REQ)メッセージを伝送する。ここで、ＭＯＢ_ＭＳＨＯ-ＲＥＱにおいて‘ＭＯＢ’はMobileを、‘ＭＳ’はMobile  Stationを、‘ＨＯ’はHand-Offを、‘ＲＥＱ’はRequestを、各々略して示す。
【００３１】
したがって、ステップ４０７で、ＢＳ３０２は、ハンドオフ要求(HO  Req)メッセージをＡＳＮ３０１に送信する。ステップ４０９で、端末３１０は、ＡＳＮ３０１とのセッション交渉(session  negotiation)を遂行する。上述したように、端末３１０がＤＯ基地局、すなわちＡＮ３０５とのセッション交渉を遂行することが一般的であるが、端末３１０がＤＯネットワークでなく、ＷｉＭａｘネットワークとのセッションを維持しているため、シームレスなデータ送受信のためにハンドオフ以後のセッションに対して予め交渉を遂行する。しかしながら、セッション交渉は、省略されうる。この場合に、ＡＮ３０５とのセッションは、予め定められたデフォルト(default)値により設定されることができる。
【００３２】
ステップ４１１で、ＡＳＮ３０１は、ステップ４０７で受信された基地局情報を用いてＰＤＳＮアドレスを獲得する。ＡＳＮ３０１は、基地局情報のうちパイロットＰＮを利用し、或いはＡＮ−ＩＤとセクタＩＤとを利用することができる。その後、ＡＳＮ３０１は、ステップ４１３で、ＰＤＳＮアドレスに対応するＰＤＳＮ３０３にハンドオフ要求(HO  Req)メッセージを伝送する。ステップ４１５で、ＰＤＳＮ３０３は、ハンドオフ要求(Ax-HO  Req)メッセージをＰＣＦ３０４に送信する。
【００３３】
ハンドオフ要求メッセージを受信すると、ＰＣＦ３０４は、ステップ４１７〜４２３で、ＡＳＮ３０１にセッション情報に対する要求を送信し、そのセッション情報を受信する。すなわち、ＰＣＦ３０４は、ステップ４１７で、ＰＤＳＮ３０３にセッション要求(Ax-Session Req)メッセージを送信する。ここで、‘Ａｘ’は、本発明に定義されたインターフェースを表す。その後、ステップ４１９で、ＰＤＳＮ３０３は、ＷｉＭａｘネットワークに位置する端末３１０のコンテキスト情報を獲得するために、ＷｉＭａｘネットワークのＡＳＮ３０１にコンテキスト要求メッセージを送信する。これに対応して、ＡＳＮ３０１は、ステップ４２１で、コンテキスト応答メッセージをフィードバックする。このコンテキスト応答は、コンテキスト情報とセッション情報とが共に伝送される。ステップ４２３で、ＰＤＳＮ３０３は、上記セッション情報と共にセッション応答(Ax-Session Rsp)メッセージをＰＣＦ３０４に送信する。すなわち、ＡＳＮ３０１によって伝送されたコンテキスト応答は、セッション情報とコンテキスト情報とをすべて含む。このコンテキスト情報は、ＰＤＳＮ３０３に必要な情報であるため、ＰＤＳＮ３０３まで伝送され、セッション情報は、ＡＮ３０５に必要な情報であるため、ＰＣＦ３０４に伝送される。
【００３４】
このように、ステップ４１７〜４２３を通じて、ＰＣＦ３０４は、セッション情報を獲得する。その後、ＰＣＦ３０４は、ステップ４２７でハンドオフ要求(Ay-HO  Req)メッセージをＡＮ３０５に送信する。ここで、‘Ａｙ’は、本発明に定義されたインターフェースを示す。
【００３５】
ステップ４２５で、ＡＳＮ３０１とＰＤＳＮ３０３との間にユーザーデータのフローのための臨時ベアラが拡張(又は設定)される(臨時ベアラ拡張)。ハンドオフ以前にＷｉＭａｘネットワークのＡＳＮ３０１に存在するユーザーデータが、臨時ベアラを通じてＤＯネットワークに伝送され、ハンドオフ前後にシームレスなデータ送受信が可能になる。
【００３６】
ステップ４２７のハンドオフ要求メッセージを受信すると、ＡＮ３０５は、ステップ４２９〜４３５を通じてＰＤＳＮ３０３にベアラを設定する。すなわち、ステップ４２９で、ＡＮ３０５はＰＣＦ３０４にセットアップ(A9-Setup-A8)メッセージを送信してベアラ設定を要求する。ステップ４３１で、ＰＣＦ３０４が登録要求(A11-Registration Request)メッセージをＰＤＳＮ３０３に送信してベアラ登録を要求する。その登録要求に応答して、ＰＤＳＮ３０３は、ステップ４３３で、ＰＣＦ３０４に登録応答(A11-Registration  Reply)メッセージをフィードバックしてベアラの登録を知らせる。その後、ＰＣＦ３０４は、ステップ４３５で、ベアラ接続(A9-Connect-A8)メッセージをＡＮ３０５に送信してベアラの接続を知らせる。ここで、A9-Connect-A8メッセージは、ステップ４２３で、ＰＣＦ３０４に伝送されたセッション情報を含む。A9-Connect-A8メッセージが、セッション情報と共にＡＮ３０５に伝送される理由は、ＡＮ３０５がセッション情報を用いて端末３１０にトラフィックチャンネルを割り当て無線インターフェースを設定可能にするためである。
【００３７】
その後、ステップ４３７〜４４５で、ＡＮ３０５は、端末３１０にトラフィックチャンネルを割り当てる。すなわち、ステップ４３７で、ＡＮ３０５は、セッション情報を用いてトラフィックチャンネル割り当てメッセージ(Traffic  Channel  Allocated  Message：ＴＣＡＭ）を含むハンドオフ応答(Ay-HO  Response)メッセージを送信する。ハンドオフ応答メッセージは、ＡＮ３０５からＰＣＦ３０４→ＰＤＳＮ３０３→ ＡＳＮ３０１→ ＢＳ３０２→ 端末３１０の経路に従って伝達される。このように、トラフィックチャンネルは端末３１０に割り当てられる。以後、端末３１０は、ステップ４４７で、ハンドオフ指示(MOB-MSHO-IND)メッセージをＢＳ３０２に送信する。ステップ４４９及び４５１で、ＨＯ  ＡＣＫは、ＢＳ３０２→ ＡＳＮ３０１→ ＰＤＳＮ３０３の順に伝達され、ハンドオフ応答メッセージの正常な受信をＰＤＳＮ３０３に知らせる。
【００３８】
その後、図４Ｂのステップ４５３〜４５７を通じて、端末３１０とＡＮ３０５との間に接続がなされる。すなわち、端末３１０は、ステップ４５３で、パイロットとデータレート制御(Data  Rate  Control：ＤＲＣ)値とをＡＮ３０５に送信して端末３１０の可能なデータレートを知らせ、ＡＮ３０５は、ステップ４５５で逆方向トラフィックチャンネルを用いてＡＣＫをフィードバックする。このように、ＡＮ３０５と端末３１０とが接続状態(connected  state)になる。
【００３９】
以後、ステップ４５９〜４６５で、予め設定されたベアラが活性化される。すなわち、ＡＮ３０５は、ステップ４５９で、ＰＣＦ３０４に無線リンク接続(A9-AL  Connected)メッセージを送信すると、ＰＣＦ３０４は、ステップ４６１で、登録要求(A11-Registration  Request(Active  Start))メッセージをＰＤＳＮ３０３に送信してベアラ活性化(Active）の開始(start）を登録する。この要求メッセージに対して、ＰＤＳＮ３０３は、ステップ４６３で、登録応答(A11-Registration  Reply)メッセージをＰＣＦ３０４にフィードバックし、ＰＣＦ３０４は、ステップ４６５で、無線リンク接続ＡＣＫ(A9-AL  Connected  ACK）をＡＮ３０５に送信する。
【００４０】
ステップ４６７で、ＰＤＳＮ３０３は、図示しないホームエージェント(Home Agent)でＢＵ/ＢＡ(Binding Update/Binding Acknowledgment)メッセージを、バインディングキャッシュ(binding  cache)をアップデートするために交換する。ここで、ホームエージェントは、コアネットワークから受信されたデータをＷｉＭａｘネットワークのＡＳＮ３０１又はＤＯネットワークのＰＤＳＮ３０３に接続するようにスイッチング(switching)動作を遂行する。すなわち、ＰＤＳＮ３０３は、ハンドオフ以後にコアネットワークから受信されたデータがＤＯネットワークに伝送されるようにＢＵ及びＢＡメッセージを交換する。ここで、‘バインディングキャッシュ’は、端末のＩＰアドレスを管理するキャッシュを称する。
【００４１】
その後、ステップ４６９で、ＰＤＳＮ３０３は、ハンドオフ完了(HO  Complete)メッセージをＡＳＮ３０１に送信する。
【００４２】
ステップ４７１〜４７７は、ＰＣＦ３０４が端末３１０にＵＡＴＩ(Unicast Access Terminal Identifier)を割り当てる過程を示す。すなわち、ＡＮ３０５がステップ４７１でＰＣＦ３０４にＵＡＴＩ要求(A14-UATI  Request)メッセージを送信すると、ＰＣＦ３０４は、ステップ４７３で、ＡＮ３０５にＵＡＴＩ割り当て(A14-UATI  Assignment)メッセージをフィードバックする。ここで、‘ＵＡＴＩ’は、端末がＰＣＦ３０４の領域に入る場合に、ＰＣＦ３０４が自分の領域でサービス可能な該当端末であることを示すために端末３１０に割り当てる識別子を意味する。
【００４３】
ステップ４７５で、ＡＮ３０５は、端末３１０にＵＡＴＩ割り当て(UATI  Assignment)メッセージを送信し、端末３１０は、ステップ４７７で、ＡＮ３０５にＵＡＴＩ完了(UATI  Complete)メッセージをそれに応答して送信する。以後、ステップ４７９で、ＡＮ３０５は、ＵＡＴＩ完了(A14-UATI  Complete)メッセージをＰＣＦ３０４に伝送する。これに応じて、ステップ４８１で、ＰＣＦ３０４は、ＡＣＫ(UATI  Complete  ACK)メッセージを送信してＵＡＴＩ割り当てを完了する。ステップ４８３で、端末３１０は、ＤＯネットワークにＰＰＰ(Point-to-Point Protocol)セットアップを遂行する。このとき、最小限のメッセージを交換することによって、無線上でメッセージ交換を最小にして効率的なＰＰＰセットアップがなされる。その結果、ステップ４８５で、ＶｏＩＰ(Voice  over  IP)又は他のデータサービスが可能である。
【００４４】
図５は、本発明の実施形態によるＷｉＭａｘネットワークとＤＯネットワークとの間のハンドオフを遂行する移動端末の動作を示すフローチャートである。
【００４５】
図５に、ハンドオフ時に遂行されるデュアルモード端末の動作を示す。ここで、‘デュアルモード’は、ＷｉＭａｘネットワークとＤＯネットワークとからデータ通信サービスを受信するように設計された一つの端末を称する。
【００４６】
ステップＳ５０１で、端末は、ＷｉＭａｘネットワークからＤＯネットワークにハンドオフを遂行するか否かを判定する。端末がハンドオフを遂行すると判定すると、端末はステップＳ５０３に進む。一方、端末がハンドオフを遂行しないと判定すると、ステップＳ５０７に進む。ステップＳ５０７で、端末は、ＷｉＭａｘ端末として動作する。ステップＳ５０３で、端末は、ターゲットネットワーク又はＤＯネットワークに該当端末がハンドオフ時に使用できるセッション関連情報があるか否かを判定する。ＤＯネットワークにセッション情報があると、端末はステップＳ５０９に進んで、セッション関連情報を用いてハンドオフを遂行する。しかしながら、ＤＯネットワークにセッション情報がないと、端末は、ステップＳ５０５で、 ＤＯネットワークにセッション情報を伝送するか否かを判定する。端末がセッション情報を伝送しないと判定すると、端末は、ステップＳ５１１に進み、ＤＯネットワークに対して新たなセッションを交渉する。この場合に、新たなセッションがＤＯネットワークに設定されなければならないので、ハンドオフとは異なり、シームレスなサービスが提供できない。
【００４７】
しかしながら、端末がセッション情報をＤＯネットワークに伝送すると判定すると、端末はステップＳ５１３に進む。このステップＳ５１３で、端末は、ＢＳからＤＯネットワークのパイロットＰＮを含む隣接リスト情報を受信する。その後、ステップＳ５１５で、端末は、ＤＯ基地局情報を含むハンドオフ要求(MOB_MSHO-REQ)メッセージをＢＳに伝送する。ステップＳ５１７で、端末は、ＤＯネットワークで使用されるセッションのためにＡＳＮと交渉する。以後、ステップＳ５１９で、ＷｉＭａｘネットワークからハンドオフ応答(MOB_BSHO-RSP)メッセージを受信すると、端末は、ステップＳ５２１で、ＢＳにハンドオフ指示(MOB_MSHO-IND)メッセージを伝送する。
【００４８】
図６は、本発明の実施形態によるＷｉＭａｘネットワークとＤＯネットワークとの間のハンドオフ時のＡＳＮの動作を示すフローチャートである。
【００４９】
図６を参照すると、ステップＳ６０１で、ＡＳＮは、ＷｉＭａｘネットワークからＤＯネットワークに移動する端末のハンドオフのために端末に対してセッションを交渉する。ステップＳ６０３で、ＡＳＮは、ＢＳから受信された基地局情報を用いて端末がハンドオフするＰＤＳＮのアドレスを獲得する。ステップＳ６０５で、ＡＳＮは、獲得されたアドレスに関連するＰＤＳＮにハンドオフ要求メッセージを伝送する。ステップＳ６０７で、ＰＤＳＮからコンテキスト要求メッセージを受信すると、ＡＳＮは、ステップＳ６０９で、ＰＤＳＮにコンテキスト応答メッセージを伝送する。図４Ａ及び図４Ｂに示したように、コンテキスト応答メッセージは、セッション情報とコンテキスト情報とを含む。ステップＳ６１１で、ＰＤＳＮからＴＣＡＭが含まれたハンドオフ応答メッセージを受信すると、ＡＳＮは、ステップＳ６１３で、ＢＳにハンドオフ応答メッセージを伝送する。ステップＳ６１５で、ＢＳからＨＯ  ＡＣＫメッセージを受信すると、ＡＳＮは、ステップＳ６１７で、ＰＤＳＮにＨＯ  ＡＣＫメッセージを伝送する。
【００５０】
図７は、本発明の実施形態によるＷｉＭａｘネットワークとＤＯネットワークとの間のハンドオフ時にＤＯネットワークにおけるＰＤＳＮの動作を示すフローチャートである。
【００５１】
ステップＳ７０１で、ＡＳＮからハンドオフ要求(HO  Request)メッセージを受信すると、ＰＤＳＮは、ステップＳ７０３で、ハンドオフ要求(Ax-HO  Request)メッセージをＰＣＦに伝送する。上述したように、Ａｘインターフェースは、本発明に新たに定義されたものである。その後、ステップＳ７０５で、ＰＣＦからセッション要求(Ax-Session  Request)メッセージを受信すると、ＰＤＳＮは、ステップＳ７０７で、ＡＳＮにコンテキスト要求を送信し、その要求に対してＡＳＮからコンテキスト応答を受信する。ステップＳ７０９で、ＰＤＳＮは、ＰＣＦにセッション応答(Ax-Session  Response)メッセージを送信し、ステップＳ７１１で、ＰＣＦから登録要求(A11-Registration  Request)メッセージを受信する。ステップＳ７１３で、ＰＤＳＮはＰＣＦに登録応答(A11-Registration  Reply)メッセージを送信し、ステップＳ７１５でＡＮによって生成されたＴＣＡＭを含むハンドオフ応答(Ax-HO  Response）メッセージをＰＣＦから受信する。ステップＳ７１７で、ＰＤＳＮは、ＡＳＮにハンドオフ応答(HO  RSP-TCAM）メッセージを伝送する。
【００５２】
図８は、本発明の実施形態によるＷｉＭａｘネットワークとＤＯネットワークとの間のハンドオフ時にＤＯネットワークにおけるＡＮの動作を示すフローチャートである。
【００５３】
ステップＳ８０１で、ＡＮは、ＷｉＭａｘネットワークからＤＯネットワークにハンドオフ要求(Ay-DO  Request)メッセージをＰＣＦから受信する。ステップＳ８０３で、ＡＮは、Ａ８のセットアップを示すＡ９メッセージをＰＣＦに送信する。ステップＳ８０５で、ＡＮは、Ａ８の接続を示すＡ９メッセージをＰＣＦから受信する。このＡ９メッセージは、セッション情報を含む。ステップＳ８０７で、ＡＮは、ハンドオフ応答(Ay-HO  RSP)メッセージをＰＣＦに送信する。ここで、‘Ａｙ’は、本発明に定義されたインターフェースを示す。ステップＳ８０９で、ＡＮは、割り当てられたチャンネルをセットアップするために端末からパイロットとＤＲＣとを受信する。これに応じて、ＡＮは、ステップＳ８１１で、端末にＲＴＣ(Reverse  Traffic  Channel)を通じてＡＣＫをフィードバックする。その後、ステップＳ８１３で、ＡＮは、ＰＣＦにＡ９-ＡＬ接続メッセージを送信し、それに応答してＰＣＦからＡＣＫを受信する。ステップ８１５で、ＡＮは、ＰＣＦにＵＡＴＩ要求(A14-UATI  Request)を送信し、ステップＳ８１７でＰＣＦからＵＡＴＩ割り当て(A14-UATI  Assignment)メッセージを受信する。その後、ＡＮは、ステップＳ８１９でＵＡＴＩを端末に割り当て、ＰＰＰをセットアップし、サービスを続ける。
【００５４】
図９は、本発明の実施形態によるＷｉＭａｘネットワークとＤＯネットワークとの間のハンドオフ方法を説明するためのネットワーク構成を示す。
【００５５】
基本的なネットワークの構成要素は、図３の構成と同一である。すなわち、ＷｉＭａｘネットワーク３４０はＢＳ３０２及びＡＳＮ３０１を含み、ＤＯネットワーク３５０はＡＮ３０５、ＰＣＦ３０４、及びＰＤＳＮ３０３を含む。図９は、参照番号９０８で示したインターフェースが図３とは異なる。すなわち、ＢＳ３０２は、インターフェース９０８を通じてＡＮ３０５に直接接続される。ＷｉＭａｘネットワーク３４０に位置する端末３１０が移動する場合に、インターフェース９０８を通じてセッション伝送要求メッセージまたはＲ８関連メッセージがＢＳ３０２からＤＯネットワーク３５０のＡＮ３０５に伝送される方式を用いて、セッション情報がＡＮ３０５に伝送される。従来のＤＯネットワークのメッセージはセッション伝送要求メッセージとして使用され、従来のＷｉＭａｘネットワークのメッセージはＲ８関連メッセージとして使用される。したがって、一実施形態はＤＯネットワーク基盤のハンドオフ方式を提供し、他の実施形態はＷｉＭａｘネットワーク基盤のハンドオフ方式を提供する。これらメッセージに基づいて、ベアラは、ＡＮ３０５→ＰＣＦ３０４→ ＰＤＳＮ３０３の順にＤＯネットワークでシグナリングによって設定される。ベアラの設定以後に、ハンドオフ手順が遂行される。上記の実施形態について、下記に詳細に説明する。
【００５６】
図１０Ａ〜図１０Ｃは、本発明の実施形態により、ＤＯネットワークインターフェースに基づいたハンドオフ方法を示すフローチャートである。
【００５７】
本発明の実施形態では、ハンドオフ時にＷｉＭａｘネットワークがＤＯネットワークのＡＮにセッション伝送要求メッセージを伝送するＡＮ基盤のハンドオフ方式を提供する。第２の実施形態では、同一の３ＧＰＰ２ネットワークで使用される従来のハンドオフ方法を本発明によって提案された異種ネットワーク間のハンドオフに適用する。ここで、図４に重複する説明部分は省略する。
【００５８】
ステップ１００１で、端末３１０は、ＢＳ３０２に接続されていると仮定する(接続状態)。ステップ１００３で、端末３１０は、ＢＳ３０２に基地局情報を含むハンドオフ要求(MSHO-REQ)メッセージを送信する。ステップ１００５で、ＢＳ３０２は、ハンドオフ要求(R6-HO  Request)メッセージをＡＳＮ３０１に伝送する。上記要求に応じて、ＡＳＮ３０１は、ステップ１００７で、ハンドオフ応答(R6-HO  Response)メッセージをフィードバックする。すると、ＢＳ３０２は、ステップ１００９でハンドオフ応答(BSHO-RSP)メッセージを端末３１０に伝送する。
【００５９】
ステップ１０１１で、端末３１０は、ハンドオフ臨時指示(HO-IND(Interim))メッセージをＢＳ３０２に送信する。ハンドオフ臨時指示(HO-IND(Interim))メッセージは、端末３１０がハンドオフの必要性をＢＳ３０２に知らせるメッセージである。ステップ１０１３で、ＢＳ３０２は、ハンドオフ確認(R6-HO  Confirm)メッセージをＡＳＮ３０１に送信する。
【００６０】
ステップ１００１〜１０１３で使用されるＲ６インターフェースは、従来のＷｉＭａｘに使用されるインターフェースである。この過程は、ＷｉＭａｘネットワークのハンドオフ時に使用できる方式と同一である。したがって、本実施形態はＤＯネットワーク基盤のハンドオフ方法を提供するが、上記Ｒ６インターフェースを使用する。
【００６１】
ステップ１０１５で、ＢＳ３０２は、セッション伝送要求(A16-Session  Transfer  Request)メッセージをＡＮ３０５に送信する。セッション伝送要求メッセージは、セッション情報を含む。このセッション情報は、ハンドオフ以後に端末３１０とＤＯネットワークとの間に使用されるデフォルト値である。あるいは、セッション情報は、図４Ａ及び図４Ｂのセッション交渉過程を通じて、ステップ１０１５以前に、決定されたセッション情報となりうる。しかしながら、セッション交渉過程は図面に示しない。ステップ１０１７で、ＢＳ３０２は、セッション伝送応答(A16-Session  Transfer  Response）を受信する。このように、端末３１０のセッション情報は、ＢＳ３０２とＡＮ３０５との間に伝送される。Ａ１６インターフェースは、ＤＯネットワークのインターフェースである。しかしながら、このインターフェースがＷｉＭａｘネットワークで使用されるため、第２の実施形態はＤＯネットワーク基盤のハンドオフ方式を提供する。以後ステップ１０１９で、ＢＳ３０２及びＡＮ３０５は、ＡＮ３０５が端末３１０に割り当てるチャンネル情報を交換することができる。その後、ステップ１０２１〜１０２７で、ベアラがＡＮ３０５とＰＤＳＮ３０３との間に設定される。この過程は、図４Ａ及び図４Ｂのステップ４２９〜４３５の過程と同一である。
【００６２】
ステップ１０２９〜１０３１で、ＡＮ３０５は、ステップ１０１９で交換されたチャンネル情報に基づいて端末３１０にトラフィックチャンネルを割り当てる。ステップ１０３３で、端末３１０は、ハンドオフ指示(HO  IND)メッセージをＢＳ３０２に送信する。ハンドオフ指示メッセージは、ステップ１０１１で使用されるハンドオフ臨時指示メッセージとは異なる。上述したように、ハンドオフ臨時指示メッセージはハンドオフの必要性を知らせるが、ハンドオフ指示メッセージは、実際にハンドオフを意味する。ステップ１０３５で、ＢＳ３０２は、伝送されたセッション情報の伝送完了をＡＮ３０５に知らせるために、ステップ１０３５で、セッション伝送完了(A16-Session  Transfer  Complete)メッセージをＡＮ３０５に送信する。上記の実施形態が図４Ａ及び図４Ｂの実施形態と異なる点は、セッション情報がＡＳＮ３０１を通じることなく直接に伝送されることである。これは、図９のＢＳ３０２とＡＮ３０５との間の直接的なインターフェースを使用するためである。
【００６３】
図１０Ｂのステップ１０３７、１０３９で、ＡＳＮ３０１がＰＤＳＮ３０３にコンテキスト情報を伝送する。すなわち、ステップ１０３７で、ＰＤＳＮ３０３がＡＳＮ３０１にハンドオフ要求(HO-Request)メッセージを送信すると、ＡＳＮ３０１は、ステップ１０３９で、ハンドオフのために必要なコンテキスト情報をＰＤＳＮ３０３に伝送し、それによってハンドオフ時間を短縮することができる。
【００６４】
ステップ１０４１で、上述した図４Ａのステップ４２５と同様に、ＡＳＮ３０１とＰＤＳＮ３０３との間にはユーザーデータのフローのための臨時ベアラが拡張(又は設定)される。ハンドオフ以前にＷｉＭａｘネットワークに存在したユーザーデータは、この臨時ベアラを通じてＤＯネットワークに伝送され、ハンドオフ前後にシームレスなデータ送受信が可能になる。
【００６５】
ステップ１０４５〜１０７３は、図４Ｂのステップ４５３〜４８１と過程が同一である。すなわち、チャンネルと無線リンクとを設定するためのメッセージを交換する。その後、図１０Ｃステップ１０７５で、ＰＤＳＮ３０３が、ＡＳＮ３０１にハンドオフ完了(HO  Complete)メッセージを伝送すると、ステップ１０７７及び１０７９で、ＢＳ３０２とＡＳＮ３０１との間の接続が登録解除(deregistration)される。以後、ステップ１０８１及び１０８３で、セッション情報がアップデートされると、ステップ１０８５で、ハンドオフが完了(HO  Complete)される。上記過程によってハンドオフが完了するため、ステップ１０９１、１０９３で、ＡＮ３０５とＰＣＦ３０４との間の接続を終了し(接続終了)、ステップ１０９５、１０９７で、ＰＣＦ３０４は、ＡＳＮ３０１がＵＡＴＩを解除(release)するようにする。これは、ＷｉＭａｘネットワークのＡＳＮ３０１が端末３１０に割り当てられたＵＡＴＩを他の端末に割り当てることを可能にするためである。
【００６６】
図１１Ａ〜図１１Ｃは、本発明の第３の実施形態によるＷｉＭａｘネットワークインターフェースに基づいたハンドオフ手順を示すフローチャートである。
【００６７】
本実施形態は、ＷｉＭａｘネットワークからＤＯネットワークのＡＮにＲ８インターフェースを用いて、ＷｉＭａｘネットワークからＤＯネットワークに端末がハンドオフを遂行するＷｉＭａｘネットワーク基盤のハンドオフ方式を提供する。
【００６８】
ステップ１１０１〜１１１１は、図１０Ａのステップ１００１〜１０１１と同一である。以後、ステップ１１１３〜１１３３で、ＷｉＭａｘネットワークのセッション変更許容(R8-Session  Change  Accept)メッセージを利用し、ステップ１１１９で、ＢＳ３０２はセッション情報(active  set)をＡＮ３０５に伝送する。ＡＮ３０５は、ステップ１１２９で、ＢＳ３０２にＴＣＡＭをフィードバックし、それによって端末３１０にトラフィックチャンネルを割り当てる。すると、端末３１０は、トラフィックチャンネルを通じてＢＳ３０２にハンドオフ指示を送信する。このとき、ステップ１１２１〜１１２７で、ＡＮ３０５とＰＤＳＮ３０３との間にベアラが設定され、これは図４Ａ及び図４Ｂと図１０Ａ〜図１０Ｃで説明したようである。
【００６９】
以後、ステップ１１３５と以後の過程は、図１０Ｂ及び図１０Ｃのステップ１０３７以後の過程と同一である。
【００７０】
以上、本発明の詳細な説明においては具体的な実施形態に関して説明したが、特許請求の範囲を外れない限り、様々な変更が可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【図面の簡単な説明】
【００７１】
【図１】一般的な１ｘＥＶ-ＤＯネットワークの構成図である。
【図２】一般的なＷｉＭａｘネットワークの構成図である。
【図３】本発明の実施形態によるＷｉＭａｘシステムとＤＯネットワークとの間のハンドオフのためのネットワークの構成図である。
【図４Ａ】本発明の実施形態によるＷｉＭａｘネットワークとＤＯネットワークとの間のハンドオフ手順を示すフローチャートである。
【図４Ｂ】本発明の実施形態によるＷｉＭａｘネットワークとＤＯネットワークとの間のハンドオフ手順を示すフローチャートである。
【図５】本発明の実施形態によるＷｉＭａｘネットワークとＤＯネットワークとの間のハンドオフを遂行する移動端末の動作を示すフローチャートである。
【図６】本発明の実施形態によるＷｉＭａｘネットワークとＤＯネットワークとの間のハンドオフ時のＡＳＮの動作を示すフローチャートである。
【図７】本発明の実施形態によるＷｉＭａｘネットワークとＤＯネットワークとの間のハンドオフ時のＤＯネットワークにおけるＰＤＳＮの動作を示すフローチャートである。
【図８】本発明の実施形態によるＷｉＭａｘネットワークとＤＯネットワークとの間のハンドオフ時にＤＯネットワークにおけるＡＮの動作を示すフローチャートである。
【図９】本発明の実施形態によるＷｉＭａｘネットワークとＤＯネットワークとの間のハンドオフ方法を説明するためのネットワーク構成図である。
【図１０Ａ】本発明の実施形態により、ＤＯネットワークインターフェースに基づいたハンドオフ方法を示すフローチャートである。
【図１０Ｂ】本発明の実施形態により、ＤＯネットワークインターフェースに基づいたハンドオフ方法を示すフローチャートである。
【図１０Ｃ】本発明の実施形態により、ＤＯネットワークインターフェースに基づいたハンドオフ方法を示すフローチャートである。
【図１１Ａ】本発明の実施形態によるＷｉＭａｘネットワークインターフェースに基づいたハンドオフ手順を示すフローチャートである。
【図１１Ｂ】本発明の実施形態によるＷｉＭａｘネットワークインターフェースに基づいたハンドオフ手順を示すフローチャートである。
【図１１Ｃ】本発明の実施形態によるＷｉＭａｘネットワークインターフェースに基づいたハンドオフ手順を示すフローチャートである。
【符号の説明】
【００７２】
３３０  インターネット
【図１】
2008172783.tif 000003
【図２】
2008172783.tif 000004
【図３】
2008172783.tif 000005
【図４Ａ】
2008172783.tif 000006
【図４Ｂ】
2008172783.tif 000007
【図５】
2008172783.tif 000008
【図６】
2008172783.tif 000009
【図７】
2008172783.tif 000010
【図８】
2008172783.tif 000011
【図９】
2008172783.tif 000012
【図１０Ａ】
2008172783.tif 000013
【図１０Ｂ】
2008172783.tif 000014
【図１０Ｃ】
2008172783.tif 000015
【図１１Ａ】
2008172783.tif 000016
【図１１Ｂ】
2008172783.tif 000017
【図１１Ｃ】
2008172783.tif 000018
【外国語明細書】
2008172783.tif 000019
2008172783.tif 000020
2008172783.tif 000021
2008172783.tif 000022
2008172783.tif 000023
2008172783.tif 000024
2008172783.tif 000025
2008172783.tif 000026
2008172783.tif 000027
2008172783.tif 000028
2008172783.tif 000029
2008172783.tif 000030
2008172783.tif 000031
2008172783.tif 000032
2008172783.tif 000033
2008172783.tif 000034
2008172783.tif 000035
2008172783.tif 000036
2008172783.tif 000037
2008172783.tif 000038
2008172783.tif 000039
2008172783.tif 000040
2008172783.tif 000041
2008172783.tif 000042
2008172783.tif 000043
2008172783.tif 000044
2008172783.tif 000045
2008172783.tif 000046
2008172783.tif 000047
2008172783.tif 000048
2008172783.tif 000049
2008172783.tif 000050
2008172783.tif 000051
2008172783.tif 000052
2008172783.tif 000053
2008172783.tif 000054
2008172783.tif 000055
2008172783.tif 000056
2008172783.tif 000057
2008172783.tif 000058
2008172783.tif 000059